(57)【要約】【課題】  小物干具をグリップ型のフックにより、物干し竿、ロープなどに掛合する時、グリップが一旦閉じたならば、これがみだりに開かない物を市場に提供するものである。【解決手段】  グリップ型の吊り下げフック本体１０に一体に連なる棒状柄部１３は握り枠体３０がこれらの軸方向に摺動自在であり、押さえアーム棒２０と握り枠体３０の一部は短いリンク６０を介して連結してある。握り枠体３０の下端に物干具が連結可能としてある物干具用グリップにおいて、前記棒状柄部１３の片面にそれぞれ下向きの掛合歯を持つラチエットラック１４が設けてある。押さえアーム棒２０と前記吊り下げフック本体１０の先端は相互に当たらない。他方握り枠体３０にはラチエットラック１４の任意の掛合歯に掛合可能なラチエット爪５１を持つロックハンドル５０が前記握り枠体３０の外面から外方に突出するように弾発的に付勢して設けてある。【選択図】  図５
2006122468.tif 000002
【特許請求の範囲】
【請求項１】
吊り下げフック本体のフック部のフック開口部を開閉する弧状の押さえアーム棒の中間が前記吊り下げフック本体のフック基部に主枢軸によって枢着してあり、前記フック基部に一体に連なる棒状柄部には握り枠体がこれらの軸方向に摺動自在に嵌合させてあり、前記押さえアーム棒の前記主枢軸及び棒状柄部より反対側に伸びるアーム操作端と前記握り枠体の一部は短いリンクを介して連結してあり、前記握り枠体の下端に物干具が連結可能としてある物干具用グリップにおいて、
前記棒状柄部の少なくとも片面にそれぞれ下向きの掛合歯を複数個持つラチエットラックが設けてあり、
前記押さえアーム棒と前記吊り下げフック本体の先端は相互に可動範囲内において、相互に当たらない形状としてあり、
他方前記握り枠体には前記ラチエットラックの任意の掛合歯に選択的に掛合可能なラチエット爪を持つロックハンドルが設けてあり、前記ロックハンドルの他端に握り操作部を備え、中間部の支点部は揺動可能抜去不能に前記握り枠体に掛合支持させてあり、かつ常時前記ラチエット爪がラチエットラックの任意の一つの掛合歯に掛合し、前記ロックハンドルの握り操作部が前記握り枠体の外面から外方に突出するように弾発的に付勢してあることを特徴とする物干具用グリップ。
【請求項２】
前記吊り下げフック本体のフック部の内側頂き部にはロープ掛合窪みが設けてあり、前記押さえアーム棒が最も閉じた時、このアーム先端が前記ロープ掛合窪み開口部を塞ぐ乃至狭くする位置となるものであることを特徴とする請求項１または２記載の物干具用グリップ。
【請求項３】
前記ロックハンドルのラチエット爪が常時ラチエットラックに掛合する方向に弾発的に掛合する構成は、前記握り枠体が若干弾性を有する硬質合成樹脂成形品によって形成してあり、その一部の筒形状部分に上向きの舌片バネ部を形成し、この舌片バネ部がラチエット爪近傍の前記ロックハンドルの一部に掛合して形成してあり、ロックハンドルの腹側であって、前記ハンドル支点脚近傍の一部は前記握り枠体の外周面に接触させて支点部が形成してあることを特徴とする請求項１、または２記載の物干具グリップ。
【請求項４】
前記請求項１乃至３記載のうちの一種物干具用グリップには、前記握り枠体の下端に、ピンチを多数装備した環状物干体、放射状に多数の物干棒をパラソル型折り畳み式に設けた物干体、細い物干棒を平行に設けた小物干具部のうちの一種が旋回傾動自在に連結してあることを特徴とする物干具。
【発明の詳細な説明】
【技術分野】
【０００１】
この発明は物干具に関するものであり、物干具全体を吊り下げるフックがみだりにこの干し竿やロープから外れなくしたものに関する。
【背景技術】
【０００２】
従来この種の物干具は特許文献１に示すように、吊り下げフックの開口部を開閉する押さえアーム棒の中間が前記吊り下げフックの基部に枢軸によって枢着してあり、吊り下げフックの基部に一体に連なる棒状柄部には握り枠体がこれらの軸方向に摺動自在に嵌合させてあり、前記押さえアーム棒の前記枢軸より反対側に伸びる操作端と前記握り枠体の一部は短いリンクを介して連結してあり、前記握り枠体の下端にピンチを多数備えた物干環が更に吊り下げてある物干具が知られている。
前記公知文献のものにおいては、物干具及び洗濯物の重みで、前記押さえアーム棒は閉じてはいるが、思いがけない風や、洗濯物に人が触れ、前記洗濯物などが持ち上げられた状態となると、前記の押さえアーム棒が開いて、物干竿に対して物干用グリップが軸方向に移動し、隣の洗濯物と接触し，乾燥が悪くなったり、他物に接触して洗濯物が汚れるおそれがあった。また、押さえアーム棒を開閉が極軽い力で操作できる。
【特許文献１】昭和４９年実用新案公開第５７２３７号公報
【発明の開示】
【発明が解決しようとする課題】
【０００３】
この発明のものを用い洗濯物を干し、握り枠体をロックハンドルの握り操作部と共に握り、押さえアームを開いて、物干竿に掛合し、これらから手をはなせば前記握り枠体は洗濯物などの重みで下降し、前記押さえアームが閉じ、物干竿の太さに係わらず、確実に閉じ、またロープに対しても確実にこれを挟持し、一旦閉じたならば、押さえアーム棒に直接これを開く力が作用しても、これが開くことなく、物干竿を握る状態を維持し、物干竿に対してその場を維持して、隣の洗濯物と密着したりすることなく、他物に接触して汚れたりするおそれが殆どない物干具を市場に提供するものである。
【課題を解決するための手段】
【０００４】
前記の課題を解決するために、この特定発明は吊り下げフック本体のフック部のフック開口部を開閉する弧状の押さえアーム棒の中間が前記吊り下げフック本体のフック基部に主枢軸によって枢着してあり、前記フック基部に一体に連なる棒状柄部には握り枠体がこれらの軸方向に摺動自在に嵌合させてあり、前記押さえアーム棒の前記主枢軸及び棒状柄部より反対側に伸びるアーム操作端と前記握り枠体の一部は短いリンクを介して連結してあり、前記握り枠体の下端に物干具が連結可能としてある物干具用グリップにおいて、
前記棒状柄部１３の少なくとも片面にそれぞれ下向きの掛合歯を複数個持つラチエットラック１４が設けてあり、前記押さえアーム棒と前記吊り下げフック本体の先端は相互に可動範囲内において、相互に当たらない形状としてあり、
他方前記握り枠体３０には前記ラチエットラック１４の任意の掛合歯１４ａに選択的に掛合可能なラチエット爪５１を持つロックハンドル５０が設けてあり、前記ロックハンドル５０の他端に握り操作部５４を備えた、中間部の支点部は揺動可能抜去不能に前記握り枠体３０に掛合支持させてあり、かつ常時前記ラチエット爪５１がラチエットラック１４の任意の一つの掛合歯１４ａに掛合し、前記ロックハンドル５０の握り操作部５４が前記握り枠体３０の外面から外方に突出するように弾発的に付勢してあることを特徴とする物干具用グリップとする。この弾発的に付勢する手段は、握り枠体３０自体の一部又は別個の部材のバネであってもこの発明としては同一である。
【０００５】
また前記の課題を解決するために、この発明の物干具用グリップの前記吊り下げフック本体１０のフック部１１の内側頂き部にはロープ掛合窪み１６が設けてあり、前記押さえアーム棒２０が最も閉じた時、このアーム先端２３が前記ロープ掛合窪み１６のロープ窪み開口部１７を塞ぐ乃至狭くする位置となるものであることを特徴とする請求項１または２記載の物干具用グリップとする。
【０００６】
また前記の課題を解決するために、この発明の物干具用の前記押さえアーム棒２０と前記吊り下げフック本体１０の先端同士は相互に可動範囲内において、制限を受けない形状及び寸法としてあることを特徴とする。
【０００７】
また前記の課題を解決するために、この発明の物干具用の前記ロックハンドル５０のラチエット爪５１が常時ラチエットラック１４に掛合する方向に弾発的に掛合する構成は、前記握り枠体３０を若干弾性を有する硬質合成樹脂成形品によって形成し、その一部である筒形状部分の一部によって上向きの舌片バネ部３３を形成し、この舌片バネ部３３がラチエット爪５１近傍の前記ロックハンドル５０の一部に掛合して形成してあり、ロックハンドル５０の腹側であって、前記ハンドル支点脚５３近傍の一部は前記握り枠体３０の外周面に接触させてあることを特徴とする。
【０００８】
またこの出願の関連発明としては前記請求項１乃至３記載のうちの一種の物干具用グリップＧには前記握り枠体３０の下端４３に、ピンチ６６を多数装備した環状枠６５、放射状に多数の物干棒をパラソル型折り畳み式に設けた物干体、細い物干棒を平行に設けた小物干具部Ｈのうちの一種が旋回傾動自在に連結してあることを特徴とする。
【発明の効果】
【０００９】
この特定発明においては、請求項４記載の洗濯物干具Hを握り枠体３０の下端４２に旋回筒体４２及び吊下げ連結体４４を介して連結して、使用すると、握り枠体３０をロックハンドル５０の握り操作部５４と共に握れば、ラチエット爪５１はラチエットラック１４から外れ、吊り下げフック本体１０の重みで、下部の棒状柄部１３は前記握り枠体３０の中に滑りこみ、この移動に伴って、押さえアーム棒２０は主枢軸２１を回転中心として、大きく開き、フック開口部１５から物干竿が出し入れできる。つまり、握力の弱い人でも押さえアーム棒２０を容易に開くことができる。
この状態で、フック部１１を物干竿若しくは水平方向に張設してあるロープに掛合し、握り枠体３０から手を離反すれば、握り枠体３０及びこれに連結されている洗濯物干具Ｈ並びに洗濯物全体の重みで、吊り下げフック本体１０に対して握り枠体３０は下方に摺動し、押さえアーム棒２０の操作端２７はリンク６０を介して下方に引っ張られ、押さえアーム棒２０は主枢軸２１を回転中心として、フック開口部１５を閉じる方向に回動する（図１、図２及び図７参照）。
【００１０】
このときラチエット爪５１は舌片バネ部３３の弾性復元力に抗してラチエットラック１４面をカチカチと滑りながら、棒状柄部１３はラチエット爪５１に対して上方に移動する。
而して，遂には押さえアーム棒２０が掛合した物干竿に当たりその位置でとまり、その位置においてラチエット爪５１はラチエットラック１４の歯の一つの下側に掛合する。
従って、この物干具全体が風などで揺れても、前記ラチエット爪５１とラチエットラック１４の掛合は外れず、この物干具全体が物干竿の軸方向に移動することは殆どない。
【００１１】
従って、物干竿の太さが異なるものでも、これに対応して、押さえアーム棒２０の回動角が変化しても、フック本体１０と押さえアーム棒２０の先端部同士は接触しない形状乃至寸法であるから（図２参照）、押さえアーム棒２０は確実に物干竿外周面に当接し、これとフック主体１０によって。物干竿を確実に掴み、その場に対応した所において、ラチエットラック１４とラチエット爪５１が掛合し、物干竿の径の大小に関係なく確実に掴め、かつ押さえアーム棒２０はフック本体１０に対し、その場に固定される効果を奏する。
【００１２】
請求項２記載の発明においては、特にロープにこの発明の物干具を吊るす場合であっても、ロープ上において、この長さ方向に滑動することなく、確りとロープ掛合窪み１６位置においてロープを挟持し、その場に支持される効果を奏する。
【００１３】
請求項３記載の発明においては、特にロックハンドル５０の動作は殆ど握力を要せず警戒であり、ハンドル支点脚５３が握り枠体３０からみだりに外れず、また、ラチエット爪５１を弾発的にラチエットラック１４に掛合させる構造が、握り枠体３０の一部で形成した舌片バネ部３３によって形成してあるから、構造が簡単であり、舌片バネ部３３が別部材ではないから、これが外れる虞はない。
【００１４】
請求項４記載の効果としては前記の各請求項記載の発明の効果を奏する物干具用グリップＧを備えた物干具であるから、これに吊るされた未乾燥の洗濯物がこれら物干具と共に物干竿やロープの軸方向乃至長さ方向にみだりに移動せず、洗濯物の乾燥を遅らせたり、汚したりするおそれは殆どない効果を奏する。
【発明を実施するための最良の形態】
【００１５】
この発明のものはフック本体１０、押さえアーム棒２０、握り枠体３０、ロックハンドル５０及び短いリンク６０全ての部品が硬質であって、若干弾性を有するポリエチレン、ポリプロピレンなどの硬質合成樹脂成形品によって形成してある。
図において吊り下げフック本体１０の上端部に物干竿に掛合可能な大きなフック部１１を有し、このフック基部１２には縦方向に棒状柄部１３が一体に成形してあり、棒状柄部１３の片面にラチエットラック１４が一体に形成してある。このラチエットラック１４の個々の掛合歯１４ａはそれぞれ下面が掛合部としてある。
前記棒状柄部１３の横断面形状はＨ型であり、一方の溝１３a内に前記ラチエットラック１４がこれらの縦（長さ）方向に形成され、他の面の溝１３ｂは中央に軸方向のリブ１９が設けてある（図６Ａ参照）。
このラチエットラック１４は棒状柄部１３の両面にあってもこの発明としては同じである。
【００１６】
前記の棒状柄部１３は前記握り枠体３０の中に軸方向にのみ摺動可能であり，円周方向に回転不能に嵌合させてあり、図示において、握り枠体３０は円筒型としてあり、この中の内周面であって、内向きに突出したリブ状の柄部ガイドレール３１に摺合させてある（図３及び図６参照）。
前記の握り枠体３０は円形筒または角筒が好ましいが、角Ｃ型、Ｈ型様など異型型材様であっても、この発明としては同じである（図６のA、B及びC参照）。
この場合は棒状柄部１３と握り枠体３０は双方共横断面角型であるから、特に柄部ガイドレール３１を設ける必要はない。また角Ｃ型、Ｈ型様断面の型材状の握り枠体３０を用いた実施例においては、ロックハンドル５０を取り付け部分３８だけは図６のＢ又はＣに示すとおり角筒型としておくことが好ましい。
【００１７】
握り枠体３０の外周面であり前記ラッチエットラック１４と相対する面には握り枠体３０の肉厚を貫通し横倒しコ字乃至逆角U字状の切り込み３２が穿設してあり、この切り込み３２によって、囲まれた舌片が舌片バネ部３３を形成している（図５参照）。この切り込み３２と同一幅であり、これと僅かに離反したところに、ハンドル支点脚５３を支持する支持スリット３５が穿設してある（図３乃至５参照）。
【００１８】
前記ロックハンドル５０は前記横倒しコ字状の切り込み幅に相当する幅であり、断面はコ字状であり、その内側が前記握り枠体３０に向き、先端は内側に屈曲してラチエット爪５１が形成してあって、前記横倒しコ字状の切り込み３２の連結切り込み部３２aから前記握り枠体３０内に挿入され、前記舌片バネ部３３の先端がラチエット爪５１の掛合角孔５８に掛合して、このラチエット爪５１が前記ラチエットラック１４の掛合歯１４ａの一つと掛合するように弾発的に付勢してある（図５参照）。
前記握り枠体３０が角Ｃ型、Ｈ型様の場合には、前記舌片バネ部３３及びロックハンドル５０を取り付ける部分だけは角筒に形成しておく（図６参照）。
前記ラチエットラック１４が前記棒状柄部１３の両面に設ける場合には、これに対応して、前記舌片バネ部３３、支持スリット３５及びロックハンドル５０は握り枠体３０の両側に対称的に設けることは当然である。
【００１９】
ロックハンドル５０の中間部の平行な側壁５５と一体の支点脚５３は前記握り枠体３０の支持スリット３５にロックハンドル５０の持つ弾性に抗して挿入され、挿入後支点脚５３の側面に設けた抜け止め突起５７が前記支持スリット３５の内縁に掛合しロックハンドル５０は掛合した状態を維持する。前記側壁５５の支点脚５３寄りであるラチエット爪５１側であって、腹側縁５６は常時握り枠体３０の外周面に当接させてあるから、この当接部分を支点として、ロックハンドルは揺動し、前記ラチエット爪５１がラチエットラック１４と掛合したり、外したりできる（図３及び図５参照）。
【００２０】
このロックハンドル５０の支点構造としては、これ自体の腹側、若しくはこれに対応する位置の握り枠体３０の外周面のうちの少なくとも片方に突起３４を設けて、これを支点部にしても、この発明の実施の形態に含まれる（図３参照）。
ロックハンドル５０のラッチエット爪５１と反対の他端である握り操作部５４は前記握り枠体３０から離反させてあり、この握り操作部５４を握り枠体３０周面に接近させるとラチエット爪５１がラチエットラック１４から離れ、これらのかみ合いが外れ、その動作は軽快であり、支点脚５３が握り枠体３０からみだりに外れず、また、ラチエット爪５１を弾発的にラチエットラック１４に掛合させる構造が、握り枠体３０の一部で形成した舌片バネ部３３によって形成してあるから、構造が簡単であり、舌片バネ部３３が別部材ではなく、これが外れたり錆付くこともない。
【００２１】
押さえア−ム棒２０は前記フック本体１０のフック基部１２に主枢軸２１によってその中間が枢着してあり、その押さえアーム先端部２３は先端よりその逃げ溝２４が形成してあって、前記押さえアーム先端２３はフォーク形状にしてあり、フック本体１０の開口部１５を閉じるとき、フック本体１０の先端部は前記逃げ溝２４となり、押さえアーム棒２０が当たらない。かつ押さえアーム棒２０が最も閉じたときは。その押さえアーム先端部２３はロープ掛合窪み１６に達し、この窪み開口部１７を狭くする位置まで達し、ロープ掛合窪み１６の縁に設けた側方に突出するストッパ１８に当たる（図２参照）。
前記主枢軸２１より反対側に伸びる押さえアーム棒２０のアーム操作端２２は棒状柄部１３の反対側に突出させてある（図２参照）。
【００２２】
前記握り枠体３０の下端は円筒形としてあり、外側には抜け止め縁３７が設けてあり、また、前記握り枠体３０の軸線周りであって、等角間隔に縦割りスリット３６が下端４３から上向きに４箇所形成してあり、内側に撓み外径が小さく変動可能にしてある。
【００２３】
６０はアーム操作端２２と握り枠体３０の上端部４０を連結するリンクであり、上端は押さえアーム操作端２２に設けた第２枢軸によって枢着してあり、リンク６０下端はリンク６０と一体にこれより両側に突出する短いリンク支持軸が形成してあり、握り枠体３０の上端部４０に設けた一対のリンク軸受け部３９に嵌合させてある。これら第２枢軸とリンク６０の枢軸部及びリンク支持軸と軸受け部３９との嵌合は、これら構成部材の弾性を利用して、強制的に嵌合し、かつ嵌合後は円滑に回動する嵌め合い対偶をなしている（図示してない）。
【００２４】
前記の握り枠体３０の下端部外側に丁度嵌合する旋回筒体４２が握り枠体３０の軸線周りの旋回自在であり、前記の抜け止め縁３７によって抜去不能に嵌合させてあり、この旋回筒体４２の直径方向に軸孔が穿孔してあり、この軸孔に嵌合する短い軸を内向きに一対一体に備えたＵ字型吊り下げ連結体４４の両壁面には一対２組の水平方向の長孔４５が形成してあり、この長孔４５に例えば環状枠６５に多数のピンチ６６を装備した小物干具部（図８参照））Hの吊り下げワイヤ（ストラップとも云う）若しくは鎖などの引っ張り部材６７が挿通してある。前記洗濯物干具部Ｈの形状は例えばパラソル型、細い物干棒を百足型したものなど特に形状及び構造に限定はない。
前記握り枠体３０は図8のように組み立てた時、Ｕ字型吊り下げ連結体４４を貫通し、この下側に突出し、図８の全体を物干竿に掛合若しくは離反させるとき、この連結体４４より下方に突出する握り枠体３０の下半部を持って行えば、取扱者が小柄な人であっても、用意にこの種の作業が容易にできる。
或いは握り枠体３０を下方に繰り出し式とし、この物干具全体物干竿の着脱するとき、握り枠体３０を長くし、また商品流通時などは小さく縮めておく、若しくは握り枠体３０を物干具部Hと平行に倒した時、物干具部の環状枠６５より外部に食み出さないようにするなど、長くした握り枠体３０が邪魔にならないようにする工夫を凝らす必要がある。
最もこの種の仕様の追加は発明の本質部分ではない。
【図面の簡単な説明】
【００２５】
【図１】押さえアーム棒が開いている状態の物干具用グリップの正面図である。
【図２】物干竿をフック本体と押さえアーム棒とによって挟持した状態の一部斜視図である。
【図３】握り枠体のみの正面図である。
【図４】ロックハンドルの斜視図である
【図５】握り枠体部の一部を縦断した縦断側面図である。
【図６】それぞれ握り枠体の断面形状の異なる実施の形態の横断平面図である。
【図７】物干具と連結した状態の正面図である。
【符号の説明】
【００２６】
１０    吊り下げフック本体
１１    フック部
１２    フック基部
１３    棒状柄部
１４    ラチエットラック
１４ａ  掛合歯
１５    フック開口部
１６    ロープ掛合窪み
１７    ロープ窪み
１８    ストッパ
１９    リブ
２０    押さえアーム棒
２１    主枢軸
２２    アーム操作端
２３    アーム先端部
２４    逃げ溝
３０    握り枠体
３１    柄部ガイドレール
３２    切り込み
３３    舌片バネ部
３４    突起
３５    支持スリット
３６    縦割スリット
３７    抜け止め
３８    取り付け部分
３９    リンク軸受け
４０    上端部
４２    旋回筒体
４３    下端
４４    吊下げ連結体
４５    長孔
５０    ロックハンドル
５１    ラチエット爪
５２    ロックハンドル胴部
５３    ハンドル支点脚
５４    握り操作部
５５    側壁
５６    支点部
５８    掛合角孔
６０    リンク
６５    環状枠
６６    ピンチ
６７    引っ張り部材
【図１】
2006122468.tif 000003
【図２】
2006122468.tif 000004
【図３】
2006122468.tif 000005
【図４】
2006122468.tif 000006
【図５】
2006122468.tif 000007
【図６】
2006122468.tif 000008
【図７】
2006122468.tif 000009